(57)【要約】【課題】衛生面に優れており、メンテナンスの簡易化とコストの低減化ができるようにした造影剤注入装置を提供する。【解決手段】造影剤注入装置１は、造影剤容器３１と直腸カテーテル１００を接続する造影剤注入チューブ１１、空気ポンプ２１と直腸カテーテル１００を接続する空気注入チューブ１２、排泄した内容物を収容する排泄物容器３２と直腸カテーテル１００を接続する排泄チューブ１３、排泄物容器３２と造影剤注入チューブ１１を連通する連通チューブ１４、連通チューブ１４を排泄物容器３２側から造影剤注入チューブ１１側へのみ流通可能とする逆止弁８２、正転して造影剤３１０を、造影剤注入チューブ１１を介して直腸カテーテル１００側に送り、逆転して連通チューブ１４を通じて排泄物容器３２内に陰圧を生じさせ、排泄チューブ１３を介して内容物を排泄物容器３２に吸引収容する造影剤ポンプ２２を備える。【選択図】図１
2007130214.tif 000002
【特許請求の範囲】
【請求項１】
直腸カテーテルを介して造影剤および空気を注入し、該注入した造影剤、空気などの内容物を、前記直腸カテーテルを介して排泄するための造影剤注入装置において、
注入する造影剤を収容する造影剤容器と前記直腸カテーテルとを接続する造影剤注入チューブと、
注入する空気を送るための空気ポンプと前記直腸カテーテルとを接続する空気注入チューブと、
前記排泄した内容物を収容する排泄物容器と前記直腸カテーテルとを接続する排泄チューブと、
前記排泄物容器と前記造影剤注入チューブとを連通する連通チューブと、
前記連通チューブに設けられ、前記排泄物容器側から前記造影剤注入チューブ側へのみ流通可能とする逆止弁と、
正転して前記造影剤容器の造影剤を、前記造影剤注入チューブを介して前記直腸カテーテル側に送り、逆転して前記造影剤注入チューブに残った造影剤を造影剤容器に戻すとともに前記連通チューブを通じて前記排泄物容器内に陰圧を生じさせ、前記排泄チューブを介して前記内容物を前記排泄物容器に吸引収容する造影剤ポンプと、を備えたことを特徴とする造影剤注入装置。
【請求項２】
直腸カテーテルを介して造影剤および空気を注入し、該注入した造影剤、空気などの内容物を、前記直腸カテーテルを介して排泄するための造影剤注入装置において、
注入する造影剤を収容する造影剤容器と前記直腸カテーテルとを接続する造影剤注入チューブと、
注入する空気を送るための空気ポンプの排気側と前記直腸カテーテルとを接続する空気注入チューブと、
前記排泄した内容物を収容する排泄物容器と前記直腸カテーテルとを接続する排泄チューブと、
前記排泄物容器と前記造影剤注入チューブとを連通する連通チューブと、
前記空気ポンプの吸気側と前記排泄物容器側とを接続する接続チューブと、
前記連通チューブに設けられ、前記排泄物容器側から前記造影剤注入チューブ側へのみ流通可能とする逆止弁と、
前記接続チューブに設けられ、前記空気の注入時に大気側と開通し、前記内容物の排泄時に大気側と遮断することが可能な弁手段と、
正転して前記造影剤容器の造影剤を、前記造影剤注入チューブを介して前記直腸カテーテル側に送り、逆転して前記造影剤注入チューブに残った造影剤を造影剤容器に戻すとともに前記連通チューブを通じて前記排泄物容器内に陰圧を生じさせ、前記排泄チューブを介して前記内容物を前記排泄物容器に吸引収容する造影剤ポンプと、を備えたことを特徴とする造影剤注入装置。
【請求項３】
前記直腸カテーテルは、内部に少なくとも前記注入する造影剤が通る造影剤注入腔と、注入する空気が通る空気注入腔と、前記排泄する排泄物が通る排泄腔とが画成されており、
前記造影剤注入チューブは、一端が前記造影剤注入腔に接続され、他端が前記造影剤容器に接続され、
前記空気注入チューブは、一端が前記空気注入腔に接続され、他端が前記空気ポンプに接続され、
前記排泄チューブは、一端が前記排泄腔に接続され、他端が前記排泄物容器に接続されたことを特徴とする請求項１または２に記載の造影剤注入装置。
【発明の詳細な説明】
【技術分野】
【０００１】
本発明は、直腸カテーテルを介して造影剤および空気を注入し、該注入した造影剤、空気などの内容物を、前記直腸カテーテルを介して排泄するための造影剤注入装置に関する。
【背景技術】
【０００２】
従来の造影剤注入装置としては、例えば特許文献１に示すようなものがある。  
すなわち、電動モーターによって駆動される回転軸に一方向クラッチと、これとは別の一方向クラッチとを互いに逆方向に回転を伝達するよう設けてあり、それぞれの一方向クラッチの外周部に設けた回転盤の同一円周上に複数の回転ローラーを配設して薬剤注入用ポンプおよび排泄物排出用ポンプを成し、薬剤注入用ポンプで薬剤を直腸カテーテルに向けて圧送し、排泄物排出用ポンプによって直腸カテーテルを介して排泄物を吸引できるようにした薬剤注腸装置である。
【０００３】
【特許文献１】特開２０００−２２５１９９号公報
【発明の開示】
【発明が解決しようとする課題】
【０００４】
しかしながら、このような従来の技術では、薬剤を注入するための薬剤注入用ポンプと排泄物を排泄するための排泄物排出用ポンプとを別個に設けてあるので、それだけ部品点数が多くなり、メンテナンスの簡易化とコストの低減化とが制限されるという問題点があった。
【０００５】
本発明は、このような従来の技術が有する問題点に着目してなされたもので、注入する造影剤の流路と内容物を排泄するための流路とが別個のもので衛生面に優れており、メンテナンスの簡易化とコストの低減化ができるようにした造影剤注入装置を提供することを目的としている。
【課題を解決するための手段】
【０００６】
かかる目的を達成するための本発明の要旨とするところは、次の各項の発明に存する。
［１］  直腸カテーテル（１００）を介して造影剤（３１０）および空気を注入し、該注入した造影剤（３１０）、空気などの内容物を、前記直腸カテーテル（１００）を介して排泄するための造影剤注入装置（１）において、
注入する造影剤（３１０）を収容する造影剤容器（３１）と前記直腸カテーテル（１００）とを接続する造影剤注入チューブ（１１）と、
注入する空気を送るための空気ポンプ（２１）と前記直腸カテーテル（１００）とを接続する空気注入チューブ（１２）と、
前記排泄した内容物を収容する排泄物容器（３２）と前記直腸カテーテル（１００）とを接続する排泄チューブ（１３）と、
前記排泄物容器（３２）と前記造影剤注入チューブ（１１）とを連通する連通チューブ（１４）と、
前記連通チューブ（１４）に設けられ、前記排泄物容器（３２）側から前記造影剤注入チューブ（１１）側へのみ流通可能とする逆止弁（８２）と、
正転して前記造影剤容器（３１）の造影剤（３１０）を、前記造影剤注入チューブ（１１）を介して前記直腸カテーテル（１００）側に送り、逆転して前記造影剤注入チューブ（１１）に残った造影剤（３１０）を造影剤容器（３１）に戻すとともに前記連通チューブ（１４）を通じて前記排泄物容器（３２）内に陰圧を生じさせ、前記排泄チューブ（１３）を介して前記内容物を前記排泄物容器（３２）に吸引収容する造影剤ポンプ（２２）と、を備えたことを特徴とする造影剤注入装置（１）。
【０００７】
［２］  直腸カテーテル（１００）を介して造影剤（３１０）および空気を注入し、該注入した造影剤（３１０）、空気などの内容物を、前記直腸カテーテル（１００）を介して排泄するための造影剤注入装置（１）において、
注入する造影剤（３１０）を収容する造影剤容器（３１）と前記直腸カテーテル（１００）とを接続する造影剤注入チューブ（１１）と、
注入する空気を送るための空気ポンプ（２１）の排気側と前記直腸カテーテル（１００）とを接続する空気注入チューブ（１２）と、
前記排泄した内容物を収容する排泄物容器（３２）と前記直腸カテーテル（１００）とを接続する排泄チューブ（１３）と、
前記排泄物容器（３２）と前記造影剤注入チューブ（１１）とを連通する連通チューブ（１４）と、
前記空気ポンプ（２１）の吸気側と前記排泄物容器（３２）側とを接続する接続チューブ（１５）と、
前記連通チューブ（１４）に設けられ、前記排泄物容器（３２）側から前記造影剤注入チューブ（１１）側へのみ流通可能とする逆止弁（８２）と、
前記接続チューブ（１５）に設けられ、前記空気の注入時に大気側と開通し、前記内容物の排泄時に大気側と遮断することが可能な弁手段（９０）と、
正転して前記造影剤容器（３１）の造影剤（３１０）を、前記造影剤注入チューブ（１１）を介して前記直腸カテーテル（１００）側に送り、逆転して前記造影剤注入チューブ（１１）に残った造影剤（３１０）を造影剤容器（３１）に戻すとともに前記連通チューブ（１４）を通じて前記排泄物容器（３２）内に陰圧を生じさせ、前記排泄チューブ（１３）を介して前記内容物を前記排泄物容器（３２）に吸引収容する造影剤ポンプ（２２）と、を備えたことを特徴とする造影剤注入装置（１）。
【０００８】
［３］  前記直腸カテーテル（１００）は、内部に少なくとも前記注入する造影剤（３１０）が通る造影剤注入腔（１０１）と、注入する空気が通る空気注入腔（１０２）と、前記排泄する排泄物が通る排泄腔（１０３）とが画成されており、
前記造影剤注入チューブ（１１）は、一端が前記造影剤注入腔（１０１）に接続され、他端が前記造影剤容器（３１）に接続され、
前記空気注入チューブ（１２）は、一端が前記空気注入腔（１０２）に接続され、他端が前記空気ポンプ（２１）に接続され、
前記排泄チューブ（１３）は、一端が前記排泄腔（１０３）に接続され、他端が前記排泄物容器（３２）に接続されたことを特徴とする［１］または［２］に記載の造影剤注入装置（１）。
【０００９】
前記本発明は次のように作用する。  
直腸カテーテル（１００）を介して造影剤（３１０）および空気を直腸、大腸、結腸などに注入するときは、造影剤ポンプ（２２）を正転させる。これにより、造影剤容器（３１）に収容されている造影剤（３１０）が造影剤注入チューブ（１１）内を通って直腸カテーテル（１００）側に送られ、さらに直腸カテーテル（１００）から直腸、大腸、結腸などに注入される。
【００１０】
造影剤（３１０）を注入する際には、空気も同時に注入される。直腸カテーテル（１００）は、空気注入チューブ（１２）によって空気ポンプ（２１）の排気側と接続されており、空気ポンプ（２１）を駆動することによって直腸、大腸、結腸などに空気を注入することができる。
【００１１】
撮影や検査の終了、その他の理由により、直腸、大腸、結腸などから造影剤（３１０）、空気などの内容物を排泄するときは、空気ポンプ（２１）は駆動させずに造影剤ポンプ（２２）のみを駆動させる。この場合、造影剤（３１０）の注入のときとは反対方向に逆転させる。これにより、造影剤注入チューブ（１１）の内部に残っていた造影剤（３１０）が造影剤容器（３１）側に戻される。このとき、排泄物容器（３２）内の空気が連通チューブ（１４）を通り、逆止弁（８２）を通って造影剤注入チューブ（１１）側に引き込まれるので、排泄物容器（３２）内に陰圧が生じる。
【００１２】
排泄物容器（３２）内に陰圧が生じると、排泄物容器（３２）と直腸カテーテル（１００）とを接続する排泄チューブ（１３）を通して直腸、大腸、結腸などの内容物が排泄物容器（３２）に吸引収容される。
【００１３】
空気ポンプ（２１）の吸気側と排泄物容器（３２）側とが接続チューブ（１５）によって接続され、空気の注入時に接続チューブ（１５）と大気側とを開通し、内容物の排泄時に接続チューブ（１５）を大気側と遮断することが可能な弁手段（９０）が接続チューブ（１５）に設けられている場合には、造影剤（３１０）および空気を注入する際には弁手段（９０）が開いて接続チューブ（１５）を大気側と開通させ、空気ポンプ（２１）が大気側から吸引した空気を直腸カテーテル（１００）側に送る。
【００１４】
また、内容物を排泄する際には、弁手段（９０）は閉じて接続チューブ（１５）を大気側と遮断する。これにより、大気側からの空気の流入が無くなるので、造影剤ポンプ（２２）の駆動により、排泄物容器（３２）内に陰圧が生じて内容物を排泄物容器（３２）内に吸引収容することができる。なお、このとき、空気ポンプ（２１）を駆動することによっても排泄物容器（３２）内に陰圧を生じさせるようにしてもよい。
【００１５】
このように、造影剤注入チューブ（１１）、空気注入チューブ（１２）、および排泄チューブ（１３）が別個に設けられているので衛生面に優れており、かつ、１つの造影剤ポンプ（２２）だけで造影剤（３１０）の注入と内容物の吸引とが行えるので、装置の部品点数が減ってメンテナンスの簡易化とコストの低減化をすることができる。
【００１６】
直腸カテーテル（１００）の内部に少なくとも注入する造影剤（３１０）が通る造影剤注入腔（１０１）と、注入する空気が通る空気注入腔（１０２）と、排泄する内容物が通る排泄腔（１０３）とが画成されている場合には、造影剤注入チューブ（１１）は、一端を造影剤注入腔（１０１）に接続し、他端を造影剤容器（３１）に接続し、空気注入チューブ（１２）は、一端を空気注入腔（１０２）に接続し、他端を空気ポンプ（２１）に接続し、排泄チューブ（１３）は、一端を排泄腔（１０３）に接続し、他端を排泄物容器（３２）に接続するので、排泄する内容物は、注入する造影剤（３１０）や空気の流路を通ることがなく、衛生面をより向上させることができる。
【発明の効果】
【００１７】
本発明にかかる［１］の造影剤注入装置によれば、造影剤を注入するための造影剤注入チューブと、空気を注入するための空気注入チューブと、内容物を吸引するための排泄チューブとが別個に設けられているので衛生面に優れており、かつ、造影剤の注入と内容物の吸引とを１つの造影剤ポンプによって行えるので、装置の部品点数が減ってメンテナンスの簡易化とコストの低減化ができる。
【００１８】
本発明にかかる［２］の造影剤注入装置によれば、［１］の造影剤注入装置の効果に加えて、内容物の排泄の際に弁手段によって接続チューブを大気側と遮断して、空気ポンプを働かせることによっても排泄物容器内に陰圧を生じさせることができる。
【００１９】
また、直腸カテーテルが内部に造影剤注入腔と、空気注入腔と、排泄腔とを画成してあるものの場合、排泄する内容物の流路と注入する造影剤や空気の流路とに共通する部分がないので、より一層に衛生面に優れたものとなる。
【発明を実施するための最良の形態】
【００２０】
以下、図面に基づき本発明の好適な一実施の形態を説明する。  
図１から図６までは、本発明の一実施の形態を示している。  
図１は、本発明の実施の形態にかかる造影剤注入装置を示すブロック図であり、図２は、本発明の実施の形態にかかる造影剤注入装置を示す斜視図である。
【００２１】
造影剤注入装置１は、肛門に挿入した直腸カテーテル１００を介して造影剤３１０などの薬剤および空気を、直腸、大腸、結腸などに注入し、また、この注入した造影剤３１０、空気、その他の内容物を、直腸カテーテル１００を介して排泄することができるものである。
【００２２】
造影剤注入装置１は、各種のチューブによって形成される流路１０と、造影剤３１０の注入や排泄をするためのポンプや空気を注入するためのポンプなどを備えた注入排泄器２０と、を備えている。注入排泄器２０には、後述するコントローラー４０が接続されている。
【００２３】
各種のチューブは、注入する造影剤３１０が通る造影剤注入チューブ１１と、注入する空気が通る空気注入チューブ１２と、直腸、大腸、結腸などから内容物を排泄するときに、内容物が通る排泄チューブ１３と、後述する連通チューブ１４および接続チューブ１５である。
【００２４】
造影剤注入チューブ１１は、造影剤３１０を収容する造影剤容器３１と直腸カテーテル１００の造影剤注入腔１０１とを接続しており、先端が造影剤容器３１内の底に届いている。造影剤注入チューブ１１は、造影剤容器３１の近くで分岐して造影剤容器３１に接続されている。この分岐した分岐チューブ１１ａには、造影剤注入チューブ１１側から造影剤容器３１側に向かってのみ流通可能な逆止弁８１が設けられている。
【００２５】
空気注入チューブ１２は、注入排泄器２０に配設された空気ポンプ２１の排気側と直腸カテーテル１００の空気注入腔１０２とを接続している。排泄チューブ１３は、排泄した内容物を収容する排泄物容器３２と直腸カテーテル１００の排泄腔１０３とを接続している。直腸カテーテル１００のこれら造影剤注入腔１０１、空気注入腔１０２および排泄腔１０３は、直腸カテーテル１００内で画成されており、それぞれは何れとも交わることはない。
【００２６】
連通チューブ１４は、排泄物容器３２と造影剤注入チューブ１１とを接続しており、中間には排泄物容器３２側から造影剤注入チューブ１１側へのみ流通可能な逆止弁８２が設けられている。接続チューブ１５は、空気ポンプ２１側と連通チューブ１４とを接続しており、空気ポンプ２１までの間に後述する電磁弁９０（弁手段）が設けられている。
【００２７】
これらのチューブが接続される注入排泄器２０が図３から図６にも示されている。図３は、注入排泄器２０の平面図であり、図４は、注入排泄器２０およびコントローラー４０の回路図である。また、図５は、上記の各チューブが注入排泄器２０および直腸カテーテル１００に接続された状態の説明図である。図６は、各チューブの接続関係を説明する説明図である。
【００２８】
注入排泄器２０は、本体ケース２０ａの上面のカバー２０ｂ（図２参照）の内側に造影剤ポンプ２２が配設されている。造影剤ポンプ２２は、回転盤２２ａを有し、この回転盤２２ａの上面には、周縁付近に等間隔に４つの回転ローラー２２ｂが配設されている。
【００２９】
回転盤２２ａは、モーターＭ（図４参照）によって正転（図５の矢印Ａ方向）および逆転させることができる。また、４つの回転ローラー２２ｂは、何れもどちらの方向にも回転自在に取り付けられている。
【００３０】
この回転盤２２ａの円周の略１／４に沿うように円弧状のローラー受け２３が配設されている。このローラー受け２３は、造影剤ポンプ２２との間に造影剤注入チューブ１１を保持するための保持具である。ローラー受け２３の一端部は、ピンＰ１によって揺動可能に枢支されている。また、他端部の外側にはフック２３ａが取り付けられている。カバー２０ｂの側面のうちローラー受け２３に面する部分は開放されており、回転盤２２ａおよび回転ローラー２２ｂの一部が露出している。
【００３１】
ローラー受け２３の他端部の近傍には、フック２３ａに係脱可能にローラー受けパチン錠２４が配設されている。造影剤注入チューブ１１を造影剤ポンプ２２とローラー受け２３との間に通して、フック２３ａにローラー受けパチン錠２４を掛けて止めることにより、造影剤注入チューブ１１は造影剤ポンプ２２とローラー受け２３との間から外れることなく、保持される。
【００３２】
造影剤注入チューブ１１を造影剤ポンプ２２とローラー受け２３との間に通したときに、造影剤注入チューブ１１を造影剤ポンプ２２よりも上流側ですなわち造影剤容器３１側で位置を固定するための上流チューブ受け２５ａと、造影剤ポンプ２２よりも下流側ですなわち直腸カテーテル１００側で保持するための下流チューブ受け２５ｂとが配設されている。
【００３３】
造影剤注入チューブ１１を造影剤ポンプ２２とローラー受け２３との間に通して上流側を上流チューブ受け２５ａで固定し、下流側を下流チューブ受け２５ｂで固定した状態で回転盤２２ａを正転させることにより、造影剤注入チューブ１１に接触している回転ローラー２２ｂ，２２ｂが造影剤注入チューブ１１を押圧しながら図５に示した矢印Ｂ方向に回転して造影剤注入チューブ１１内の造影剤３１０を直腸カテーテル１００側に圧送することができる。
【００３４】
注入排泄器２０の本体ケース２０ａの上面には、さらに、本体ケース２０ａの内部に配設された空気ポンプ２１の排気側に空気注入チューブ１２を接続するための空気送出ノズル２６が取り付けられている。この空気送出ノズル２６と空気ポンプ２１との間には、空気ポンプ２１側からの流通のみが可能な逆止弁８３が設けられている。
【００３５】
また、本体ケース２０ａの上面には、接続チューブ１５を空気ポンプ２１の吸気側に接続するための接続ノズル２７が取り付けられている。本体ケース２０ａの内側には、この接続ノズル２７と空気ポンプ２１との間に電磁弁９０が設けられている。この電磁弁９０は、空気の注入時に大気側と開通し、内容物の排泄時に大気側と遮断することが可能である。
【００３６】
さらに、本体ケース２０ａの上面には、注入排泄器２０を操作するための操作パネル５０が配設されている。この操作パネル５０には、造影剤３１０を注入するときに押し込み、注入の停止をするときに戻す造影剤注入ボタン５１と、空気を注入するときに押し込み、注入の停止をするときに戻す空気注入ボタン５２と、内容物の排泄をするときに押し込み、排泄の停止をするときに戻す排泄ボタン５３とが備えられている。
【００３７】
本体ケース２０ａの側面には、直腸カテーテル１００側に延びる造影剤注入チューブ１１、空気注入チューブ１２、排泄チューブ１３を固定するためのチューブ固定金具２８が取り付けられている。また、注入排泄器２０を遠隔操作するときに上記のコントローラー４０を接続するための接続コネクター２９が配設されている。コントローラー４０は、コントローラー本体４１と、このコントローラー本体４１に接続され、造影剤注入、空気注入、内容物の排泄などをするためのスイッチが設けられたハンドスイッチ４２とから構成されている。コントローラー４０は、コントローラー本体４１が接続ケーブル４３によって接続コネクター２９に接続されている。
【００３８】
また、本体ケース２０ａの他の側面には、造影剤容器３１を保持するための造影剤容器ホルダー３０ａと、排泄物容器３２を保持するための排泄物容器ホルダー３０ｂとが配設されている。
【００３９】
図５に示すように、注入排泄器２０側から直腸カテーテル１００へ延びる造影剤注入チューブ１１、空気注入チューブ１２、排泄チューブ１３は、それぞれ、直腸カテーテル１００の造影剤注入腔１０１、空気注入腔１０２、排泄腔１０３に接続されている。造影剤注入腔１０１内には、造影剤注入チューブ１１側からの流通のみが可能な逆止弁８４が設けられており、空気注入腔１０２内には、空気注入チューブ１２側からの流通のみが可能な逆止弁８５が設けられており、排泄腔１０３内には、直腸カテーテル１００側から排泄腔１０３側への流通のみが可能な逆止弁８６が設けられている。
【００４０】
直腸カテーテル１００の先端部近くには、直腸カテーテル１００を肛門に挿入した状態で固定するためのバルーン１１１，１１２を備えている（図２参照）。直腸カテーテル１００は、バルーン１１１，１１２を膨らませていない状態では肛門に挿入および引抜きができるが、直腸カテーテル１００を肛門に挿入した後に空気を注入してバルーン１１１，１１２を膨らませることにより、直腸カテーテル１００を肛門から抜けないように固定することができる。
【００４１】
直腸カテーテル１００の後端部にはバルーン１１１を膨らませる空気を注入し、排出するための空気注排管１２１と、バルーン１１２を膨らませる空気を注入し、排出するための空気注排管１２２とを備えている。空気注排管１２１および空気注排管１２２から注入される空気は、それぞれ直腸カテーテル１００内に画成された別個の空気腔（図示せず）を通ってバルーン１１１，１１２に注入および排出される。これらの空気腔は、直腸カテーテル１００内の造影剤注入腔１０１、空気注入腔１０２および排泄腔１０３に対しても画成されている。
【００４２】
次に作用を説明する。  
造影剤注入装置１により、直腸カテーテル１００を介して造影剤３１０および空気を直腸、大腸、結腸などに注入するときは、造影剤注入チューブ１１、空気注入チューブ１２、排泄チューブ１３がそれぞれ直腸カテーテル１００の造影剤注入腔１０１、空気注入腔１０２、排泄腔１０３に接続され、肛門に挿入した直腸カテーテル１００が膨らんだバルーン１１１，１１２によって固定された状態にしておく。電磁弁９０は開いており、接続チューブ１５は大気側に開放されている。
【００４３】
操作パネル５０の造影剤注入ボタン５１および空気注入ボタン５２またはハンドスイッチ４２を操作して造影剤ポンプ２２を矢印Ａ方向に正転させると、回転盤２２ａとローラー受け２３との間に保持されている造影剤注入チューブ１１を回転ローラー２２ｂが押圧して回転しながら上流側から下流側へと移動する。これにより、造影剤容器３１に収容されている造影剤３１０が造影剤注入チューブ１１内を直腸カテーテル１００側に圧送される。
【００４４】
直腸カテーテル１００までの途中で造影剤注入チューブ１１に接続された連通チューブ１４には逆止弁８２が設けられているので、造影剤３１０は、連通チューブ１４側に流れることなく直腸カテーテル１００側に押し出される。造影剤３１０は、さらに直腸カテーテル１００の逆止弁８４を通過して造影剤注入腔１０１内に圧送されて直腸カテーテル１００の先端から直腸、大腸、結腸などに注入される。
【００４５】
造影剤３１０を注入する際には、空気も同時に注入することができる。空気ポンプ２１が駆動すると、空気が電磁弁９０から接続チューブ１５に吸引される。接続チューブ１５に吸引された空気は、空気ポンプ２１の吸気側から空気ポンプ２１に入り、排気側から空気注入チューブ１２に送り出されて逆止弁８３を通過して、直腸カテーテル１００の逆止弁８５を通過して空気注入腔１０２内に圧送される。空気注入腔１０２内を通った空気は、直腸カテーテル１００の先端から直腸、大腸、結腸などに注入される。
【００４６】
撮影や検査が終了し、あるいは、その他の理由により、直腸、大腸、結腸などから造影剤３１０、空気などの内容物を排泄するときは、操作パネル５０の排泄ボタン５３またはハンドスイッチ４２を操作して、空気ポンプ２１は駆動させずに造影剤ポンプ２２のみを駆動させる。この場合、回転盤２２ａは、造影剤３１０の注入のときとは反対方向に逆転する。また、電磁弁９０は閉じられており、接続チューブ１５が大気側から遮断されているので、大気側からの空気の流入はない。
【００４７】
造影剤ポンプ２２が逆転すると、造影剤注入チューブ１１の内部に残っていた造影剤３１０が造影剤容器３１側に圧送され造影剤容器３１に戻される。このとき、直腸カテーテル１００の内部に残っていた造影剤３１０は、造影剤注入腔１０１の逆止弁８４を通過できないので、直腸カテーテル１００に残る。
【００４８】
造影剤ポンプ２２が逆転すると、排泄物容器３２内の空気が連通チューブ１４を通り、逆止弁８２を通って造影剤注入チューブ１１側に引き込まれるので、排泄物容器３２内に陰圧が生じる。排泄物容器３２内に陰圧が生じると、直腸、大腸、結腸などの内容物が吸引されて、直腸カテーテル１００内の排泄腔１０３に吸い込まれる。排泄腔１０３を通って直腸カテーテル１００の後端部側に至った内容物は、逆止弁８６を通って排泄腔１０３から排泄チューブ１３に入る。排泄チューブ１３に入った内容物は、さらに吸引されて排泄物容器３２に吸引収容される。直腸カテーテル１００から排泄チューブ１３を通って排泄物容器３２に吸引収容された空気は、連通チューブ１４から造影剤注入チューブ１１に吸引されるので、内容物を排泄する間は、排泄物容器３２内は常に陰圧が生じている。
【００４９】
なお、内容物を排泄する際に、電磁弁９０を閉じて空気ポンプ２１を駆動することによっても排泄物容器３２内に陰圧を生じさせることができる。
【００５０】
以上のように、造影剤注入チューブ１１、空気注入チューブ１２、および排泄チューブ１３は別個に設けられているので衛生面に優れている。さらに、１つの造影剤ポンプ２２だけで造影剤３１０の注入と内容物の排泄とが行えるので、造影剤注入装置１の部品点数が減ってメンテナンスが簡易化できるとともにコストの低減化をすることができる。
【００５１】
本実施の形態では、直腸カテーテル１００の内部に造影剤３１０が通る造影剤注入腔１０１と、注入する空気が通る空気注入腔１０２と、排泄する内容物が通る排泄腔１０３と、バルーン１１１，１１２を通して注入され、排出される空気が通る空気注排管１２１，１２２がそれぞれ独立して画成してあるものの場合には、造影剤注入チューブ１１は、一端を造影剤注入腔１０１に接続し、他端を造影剤容器３１に接続し、空気注入チューブ１２は、一端を空気注入腔１０２に接続し、他端を空気ポンプ２１に接続し、排泄チューブ１３は、一端を排泄腔１０３に接続し、他端を排泄物容器３２に接続するので、排泄する内容物の流路と注入する造影剤３１０や空気の流路とには共通する部分がない。したがって、衛生面をより一層に向上させることができる。
【００５２】
なお、本実施の形態では、造影剤注入チューブ１１から注入するものを造影剤３１０として説明したが、造影剤３１０に限らず、液体状の薬剤であれば注入することができ、また、排泄チューブ１３から排泄することができる。
【図面の簡単な説明】
【００５３】
【図１】本発明の実施の形態にかかる造影剤注入装置を示すブロック図である。
【図２】本発明の実施の形態にかかる造影剤注入装置を示す斜視図である。
【図３】図１における注入排泄器を示す平面図である。
【図４】図１における注入排泄器およびそのコントローラーを示す回路図である。
【図５】注入排泄器と各チューブの接続態様を説明する説明図である。
【図６】各チューブの接続関係を説明する説明図である。
【符号の説明】
【００５４】
Ｍ…モーター
Ｐ１…ピン
１…造影剤注入装置
１０…流路
１１…造影剤注入チューブ
１１ａ…分岐チューブ
１２…空気注入チューブ
１３…排泄チューブ
１４…連通チューブ
１５…接続チューブ
２０…注入排泄器
２０ａ…本体ケース
２０ｂ…カバー
２１…空気ポンプ
２２…造影剤ポンプ
２２ａ…回転盤
２２ｂ…回転ローラー
２３…ローラー受け
２３ａ…フック
２４…ローラー受けパチン錠
２５ａ…上流チューブ受け
２５ｂ…下流チューブ受け
２６…空気送出ノズル
２７…接続ノズル
２８…チューブ固定金具
２９…接続コネクター
３０ａ…造影剤容器ホルダー
３０ｂ…排泄物容器ホルダー
３１…造影剤容器
３２…排泄物容器
４０…コントローラー
４１…コントローラー本体
４２…ハンドスイッチ
４３…接続ケーブル
５０…操作パネル
５１…造影剤注入ボタン
５２…空気注入ボタン
５３…排泄ボタン
８１，８２，８３，８４，８５，８６…逆止弁
９０…電磁弁
１００…直腸カテーテル
１０１…造影剤注入腔
１０２…空気注入腔
１０３…排泄腔
１１１，１１２…バルーン
１２１，１２２…空気注排管
３１０…造影剤
【図１】
2007130214.tif 000003
【図２】
2007130214.tif 000004
【図３】
2007130214.tif 000005
【図４】
2007130214.tif 000006
【図５】
2007130214.tif 000007
【図６】
2007130214.tif 000008